(57)【要約】本発明は、コンテンツ・プロバイダ、特にラジオ送信者、テレビ送信者、印刷媒体の出版者またはインターネット・プロバイダによって、媒体を介して送信される、娯楽を含む情報を提示する方法に関する。本発明の方法によれば、この情報は、コンテンツに応じて分類され、受信装置によって受信することができる提示で受信者に提示されるカテゴリが受信者によって個々に選択可能であり、その情報はブロックにグループ化され、受信者が情報の前記ブロックの時間的シーケンスを選択することができる。【特許請求の範囲】
【請求項１】
プロバイダ（「コンテンツ・プロバイダ」）によって、特にラジオ放送局、テレビ放送局、印刷媒体の出版者、またはインターネット・サービス・プロバイダによって、媒体を介して放送される、娯楽を含む情報を提示する方法であって、前記情報がコンテンツによって分類され、受信機を介して受信される提示で受信者に提供されるカテゴリが、前記受信者によって個々に選択可能であり、
前記情報が情報ブロックに編集され、情報ブロックの時間的シーケンスを前記受信者が自由に選択することができる方法。
【請求項２】
前記シーケンス開始の時間を前記受信者が開始命令を介して事前設定することができる、請求項１に記載の方法。
【請求項３】
前記情報ブロックまたは前記情報ブロックの参照がバッチ・ファイル（プレイ・リスト）に編集され、前記バッチ・ファイルに関連する前記情報ブロックを前記受信者が出力装置を介して検索することができる、請求項１または２に記載の方法。
【請求項４】
前記媒体がラジオ放送であり、前記出力装置がラジオである、請求項１乃至３のいずれか１項に記載の方法。
【請求項５】
前記媒体が音声ストリームを伝送するケーブルであり、前記出力装置がスピーカまたはプリンタである、請求項１乃至３のいずれか１項に記載の方法。
【請求項６】
前記情報ブロックが音声入力を介して選択される、請求項１乃至５のいずれか１項に記載の方法。
【請求項７】
前記音声入力が通信媒体、たとえばネットワークを介して送信される、請求項６に記載の方法。
【請求項８】
前記情報ブロックがインターネットを介して選択される、請求項１乃至７のいずれか１項に記載の方法。
【請求項９】
コンピュータを使用して、前記バッチ・ファイルを生成し、インターネットを介して送信を行う、請求項１乃至８のいずれか１項に記載の方法。
【請求項１０】
第１の工程で、前記受信者が少なくとも１つの前記情報ブロックまたは前記情報ブロックの参照を含むプレイ・リストを作成し、
次の工程で、前記プレイ・リストを個人用ＩＤと共に通信媒体を介して前記コンテンツ・プロバイダに送信し、
前記プレイ・リストに基づいて、前記プロバイダが、前記受信者に割り当てたプログラムを作成し、
前記受信者が、開始命令で前記プログラムを開始する、請求項１乃至９のいずれか１項に記載の方法。
【請求項１１】
前記開始命令が、前記受信機の電源を入れることによって開始される、請求項１０に記載の方法。
【請求項１２】
前記受信者が、自分用に編集した前記提示内を制御命令を使用してナビゲートする、請求項１０に記載の方法。
【請求項１３】
請求項１乃至１２のいずれか１項に記載の方法を実行するためのシステム。
【発明の詳細な説明】
【０００１】
本発明は、プロバイダによって、特にラジオ放送局、テレビ放送局、またはインターネット・サービス・プロバイダによって、媒体を介して配信される、娯楽を含む情報を提示する方法であって、その情報が、コンテンツによって分類され、受信機を介して受信可能な提示で受信者に提供されるカテゴリが受信者によって個々に選択可能である方法を対象とする。本発明は、その方法を実施するためのシステムも対象とする。
【０００２】
放送は、ラジオ、テレビ、また最近はインターネットを介しても行われていることは、一般に知られている。こうした放送のコンテンツは、編集部員によって編集される。受信者としての顧客は、このコンテンツを利用することができる。しかし、受信者はたいてい、特定の番組の幾つかの面にだけ興味があり、残りの番組のセグメントは多少とも迷惑に感じている。周知の情報タイプの放送に関連する問題は、顧客が自分で番組に影響を与えることができず、他の放送局（プロバイダ）を探すことしかできないことである。
【０００３】
受信者に放送の構成においてある限定された自由を提供するシステムが知られている。これに関しては、個人が、自分が特定のカテゴリ用に好むコンテンツをインターネットを介して放送局に通知することができる。たとえば、１時間のラジオ放送について、個人が、少なくともある程度注文を選択することができ、その注文ではジュークボックスと同様にタイトルが演奏される。しかし、個人が、放送局が予定した時間フレーム外のタイトルの編集済みシーケンスを聞くことはできない。したがって、この「個別化」放送は、放送局によって事前設定された時間、たとえばニュースまたは宣伝のブロックが予定されているときに中断される。
【０００４】
したがって、本発明の目的は、簡単かつ低コストで実施される個人用情報タイプのプログラムを生成するための便利な方法を受信者に提供する方法を考案することである。
【０００５】
この目的は、特許請求の範囲の請求項１で述べた明確な特徴を有する方法によって達成される。
【０００６】
本発明の基礎となる重要なアイデアは、放送局（プロバイダ）によって用意される情報、具体的には、音声、テキスト、および／またはビデオが、所望され要求され必要とされているように個々に編集されることである。このアイデアが実施されると、利用可能な情報がコンテンツ・プロバイダによって情報ブロックで提供され、受信者が放送情報ブロックの時間的シーケンスを自由に選択することができる。これは実際、以下のように実行される。バッチ・ファイルとして構成された「プレイ・リスト」では、受信者は、雑誌の今日の話題（これも個人的に選択可能である）がハイライトされる前に、先ずニュースの最新のブロックを、次いで続いて自分の興味がある地域の天気予報を受信したいことを示す。次いで受信者は最後に、３０分にわたって娯楽音楽の放送を聴きたいと思う。このようにして、受信者が自分のラジオの電源を入れることで１日を始めるために放送のプレイ・リストを構成できる。したがって、放送のコンテンツおよび時間的シーケンスは、自由に設計することができる。
【０００７】
本発明の利点は、明白である。自分で対話式に放送のコンテンツを規定することができるこの機能は、先ず第１に、この機能が顧客に提供する利点から、容易に市場に出せる新規なサービスを示すものである。顧客は、もはや興味深い放送を受信するために使用される事前定義された番組の概要に依存しないという利益を得る。代わりに顧客は、放送が始まるときを自分で決め、その結果、何も聞き逃すことがない。確立された放送時間フレームから独立して行動できる上に、顧客は、もはや提供された番組のカラーに依存することもない。本発明は、対話式訓練、継続教育、言語訓練、および個別指導を含むアプリケーションにも有利に適している。本発明は、たいてい既存の技術を使用して実施することができるため、予想できないコストが生じないという点で特に利益が得られる。
【０００８】
受信者が時間的シーケンスだけでなく、すでに示したように、特定の開始命令を介してプログラム・シーケンスの開始時間も事前設定できる場合は、特に有利である。したがって、受信機の電源を入れることに呼応して開始命令が実行される場合に有利である。しかし、受信機とは独立した通信媒体を介して、ボタンを押すことによってまたは音声によっても、開始命令を送信することができる。開始命令に加えて、個人が提供された提示内をナビゲートするために使用できる他の制御命令を顧客に提供することは有利である。たとえば、個人がこうした制御命令を使用して、情報ブロックまたはそのセグメントを繰り返すことができる。
【０００９】
本発明は、任意の媒体、たとえば印刷媒体（「どの読者も自分の個人用新聞を入手する」）でもそのフレームワーク内で実現することができるが、ラジオまたはテレビと共に使用する場合に特別の利便性をもたらす。インターネットがあっても、こうした媒体は、引き続き重要な日常の情報源である。特にラジオは、受信者（聞き手）の専念に依存せず、たとえば朝、歯を磨いているとき、または車を運転しているときに、何気なく耳にすることができるものである。聞き手の特別な日課に合わせた個人的に制御されたラジオ番組は、最高の利便性をもたらす。
【００１０】
プレイ・リストおよび制御コマンドは、様々な方法で事前定義することができる。いずれにせよ、情報を送信する媒体の他に、受信者が使用して情報を放送局に送信するための「他」の媒体が必要である。インターネットが双方向の媒体として情報を送信する媒体である特別の場合は、プレイ・リストまたは制御コマンドなどの情報を同時に送り返すことができる。ラジオまたはテレビの送信機の場合は、インターネットまたは電話網を送信機に向けた媒体として使用することができる。世界的な通信網整備への傾向が続いているため、さらに、ラジオ、移動セルラー電話、またはテレビなどの受信端末装置が、同時に送信装置として機能し、ケーブル、光ファイバ、またはエア・インターフェースを介して情報を送信することが考えられる。その場合、受信機の電源が入ることに呼応して開始命令などの命令を開始することが簡単に実行される。
【００１１】
特に便利な任意選択を、通信媒体を介して、たとえば（移動）電話網を介して、または端末装置のケーブルを介して音声入力ごとに命令を送信するために提供する。この場合、受信者は、コマンド「ニュース」を入力することによって、放送局の最新の提供物を要求することができる。特別の具体的な実施形態では、音声分析を簡単にするため、また送信の質を向上させるため、放送中、たとえばニュースの間、ある一定時間「入力ウィンドウ」を開けて、他の汎用な音声認識システムの幾つかの言葉だけの音声入力ができるようにする。したがって、たとえば、「シュレーダー首相が日本を訪問している」というニュースの文脈で単語「首相」、「シュレーダー」および「日本」をある一定時間アクティブにすると、選択した場合、これらの単語に関係する他の背景情報が現れる。全ての可能な単語を数個の話されたばかりの言葉に限定するこの方法は、認識率が向上するため、音声認識を大幅に向上させる。したがって、丈夫さ（ｒｕｇｇｅｄｎｅｓｓ）、すなわちこのシステムの音声認識性能は、改善される。これに関して、この方法の適用例は、本明細書で記載した本発明に決して限定されるものではなく、むしろ、一般に音声認識システムに用いることができる。
【００１２】
本発明の具体的な一実施形態を図で示し、以下にさらに詳細に説明する。
システムを図で示す。この図では、１で示したボックスはコンテンツ・プロバイダ、したがって、たとえばラジオ放送局であり、無線を介して、またはこの例ではネットワーク２を介してその聞き手（受信者）３にリンクされている。これに関して、受信者３は、モデル・インターフェース４を介して、たとえばラジオを介して、ネットワークに接続される。
【００１３】
この時点で、受信者３は、第１の工程で、情報ブロックのシーケンスまたはこうしたシーケンスの参照を含むプレイ・リスト５を作成することによって自分の個人用プログラムを設計することができる。各情報ブロックは、次いで、コンテンツに（たとえば、最新のニュースに）対応する。このプレイ・リスト５は、次いで、通信媒体を介して（この場合は電話網６を介して）、個人用のＩＤと共にコンテンツ・プロバイダ１に送信される。プレイ・リスト５に基づいて、プロバイダは受信者に割り当てたプログラムを作成し、コンピュータ７に割り当てたデータベース８に情報を入力する。コンピュータ７は、ネットワーク２に一体化されている。ラジオ４の電源が入れられることに呼応して、コンピュータはデータベース８にアクセスし、そこから受信者に割り当てられた放送のコンテンツを抽出する。
【図面の簡単な説明】
【図１】
本発明の一実施例を示す図である。
【図１】
2004517584.tif 000002
【国際公開パンフレット】
2004517584.tif 000003
2004517584.tif 000004
2004517584.tif 000005
2004517584.tif 000006
2004517584.tif 000007
2004517584.tif 000008
2004517584.tif 000009
2004517584.tif 000010
2004517584.tif 000011
【国際公開パンフレット（コレクトバージョン）】
2004517584.tif 000012
【国際調査報告】
2004517584.tif 000013
2004517584.tif 000014
2004517584.tif 000015
2004517584.tif 000016
2004517584.tif 000017
2004517584.tif 000018